(57)【要約】      （修正有）【課題】収納庫の床面に結露が生じるのを抑制することが可能な冷凍庫を提供する。【解決手段】この冷凍車は、車両本体に設けられた冷凍庫と、冷凍庫の内部を冷却する冷却ユニットと、冷凍庫の内面において冷凍庫の開口部の上端部に沿って配置され、エアカーテンを形成する横断流送風機４０と、を備える。横断流送風機４０は、冷凍庫の開口部の上端部に沿って延びる回転軸線Ａ周りに回転可能なファンと、ファンにより外気が吸引される外気吸引口４１ｅと、ファンからの外気を冷凍庫の開口部の下端部よりも外側に向かう方向に吹き下ろすようにガイドする導風路４１ｈとを含む。【選択図】図１０
2016027294.tif 000002
【特許請求の範囲】
【請求項１】
収納庫と、
前記収納庫の内部を冷却する冷却ユニットと、
前記収納庫の内部の上面において前記収納庫の開口部の上端部に沿って配置され、エアカーテンを形成する横断流送風機と、を備え、
前記横断流送風機は、前記収納庫の開口部の上端部に沿って延びる回転軸線周りに回転可能なファンと、前記ファンにより外気が吸引される外気吸引口と、前記ファンからの外気を前記収納庫の開口部の下端部よりも外側に吹き下ろすようにガイドする導風路とを含む、冷凍庫。
【請求項２】
前記導風路は、前記収納庫の開口部から外側に向かう方向に傾斜する傾斜部を有する、請求項１に記載の冷凍庫。
【請求項３】
前記導風路は、前記回転軸線が延びる軸方向における前記ファンの外端部近傍に対応する位置に配置され、前記軸方向の外側に向かう方向に傾斜して前記ファンの外端部よりも外側に外気を導く風ガイド部を有する、請求項１または２に記載の冷凍庫。
【請求項４】
前記風ガイド部は、前記回転軸線に対して４５度以上９０度未満の角度で、前記軸方向の外側に向かう方向に傾斜するように配置されている、請求項３に記載の冷凍庫。
【請求項５】
前記横断流送風機の前記ファンは、複数のファン部材が前記回転軸線が延びる軸方向に沿って連結されることによって形成されている、請求項１〜４のいずれか１項に記載の冷凍庫。
【請求項６】
前記収納庫は、前記収納庫の開口部を開閉する開閉扉を含み、
前記横断流送風機の前記導風路は、気流の向きが調整可能な風向調整部を有し、
前記開閉扉が開放された状態で、前記ファンからの外気が前記風向調整部により前記収納庫の開口部の下端部よりも外側に吹き下ろされるとともに、前記開閉扉が閉められた状態で、前記冷却ユニットにより冷却された空気が前記風向調整部により前記収納庫の開口部の下端部近傍または前記下端部よりも内側に吹き下ろされるように構成されている、請求項１〜５のいずれか１項に記載の冷凍庫。
【請求項７】
前記横断流送風機は、前記外気吸引口に加えて、前記ファンにより前記冷却ユニットにより冷却された空気が吸引される庫内空気吸引口をさらに含み、
前記外気吸引口が閉じられるとともに前記庫内空気吸引口が開かれることにより、前記開閉扉が閉められた状態で、前記冷却ユニットにより冷却された空気が前記風向調整部により前記収納庫の開口部の下端部近傍または前記下端部よりも内側に吹き下ろされて前記収納庫内を循環するように構成されている、請求項６に記載の冷凍庫。
【請求項８】
前記開閉扉の開閉状態を検知する開閉状態検知部をさらに備え、
前記開閉扉が開放された状態から前記開閉状態検知部により前記開閉扉が閉められた状態が検知された際、前記冷却ユニットにより冷却された空気が前記収納庫内を循環するように、前記横断流送風機の前記風向調整部による気流の向きが調整されるように構成されている、請求項６または７に記載の冷凍庫。
【請求項９】
前記開閉扉が開放された状態で、前記収納庫外部の温度または湿度の少なくともいずれかに基づいて前記横断流送風機から前記収納庫の開口部の下端部よりも外側に吹き下ろされる気流の向きが前記風向調整部により調整されるように構成されている、請求項６〜８のいずれか１項に記載の冷凍庫。
【発明の詳細な説明】
【技術分野】
【０００１】
この発明は、冷凍庫に関し、特に、エアカーテンを形成する横断流送風機を備えた冷凍庫に関する。
【背景技術】
【０００２】
従来、エアカーテンを形成する横断流送風機を備えた冷凍車などが知られている（たとえば、特許文献１参照）。
【０００３】
上記特許文献１には、冷凍室（収納庫）と、冷凍室内を冷却する冷却器と、冷凍室の内部の上面で、かつ、冷凍室の開口部近傍に配置されたクロスフローファンと、を備える冷凍車両が開示されている。この特許文献１に記載の冷凍車両のクロスフローファンは、冷凍室の内部の冷気を吸引して、若干内向きの吐出口から冷凍室の内側に向かって冷気を吹き下ろすように構成されている。
【先行技術文献】
【特許文献】
【０００４】
【特許文献１】実開平５−６８７４１号公報
【発明の概要】
【発明が解決しようとする課題】
【０００５】
しかしながら、上記特許文献１に記載された冷凍車両では、若干内向きの吐出口から冷凍室の内側に向かって冷気が吹き下ろされるため、冷凍室のうち、冷気が吹き下ろされる箇所よりも外側（冷凍室の開口部側）の領域には、温度の高い外気が侵入してしまう。このため、冷気が吹き下ろされる箇所よりも外側の領域における冷凍室の床面では、外気が冷えた床面に接触することにより、外気に含まれる水分が凝縮して結露が発生してしまうという問題点がある。この場合、床面に発生した結露により商品を梱包する段ボール箱などの外装材（梱包材）が水分を含んでしまい、その結果、外装材のみならず内部の商品にも破損（水濡れ）が及ぶ場合がある。
【０００６】
この発明は、上記のような課題を解決するためになされたものであり、この発明の１つの目的は、収納庫の床面に結露が生じるのを抑制することが可能な冷凍庫を提供することである。
【課題を解決するための手段】
【０００７】
この発明の第１の局面による冷凍庫は、収納庫と、収納庫の内部を冷却する冷却ユニットと、収納庫の内部の上面において収納庫の開口部の上端部に沿って配置され、エアカーテンを形成する横断流送風機と、を備え、横断流送風機は、収納庫の開口部の上端部に沿って延びる回転軸線周りに回転可能なファンと、ファンにより外気が吸引される吸引口と、ファンからの外気を収納庫の開口部の下端部よりも外側に吹き下ろすようにガイドする導風路とを含む。なお、本発明における「冷凍」とは、収納庫内を０℃以下に冷却（冷凍）する場合のみならず、収納庫内を０℃よりも若干高い低温の温度域に冷却（冷蔵）する場合も含む広い概念である。
【０００８】
この発明の第１の局面による冷凍庫では、上記のように、エアカーテンを形成する横断流送風機に、ファンにより外気が吸引される外気吸引口と、ファンからの外気を収納庫の開口部の下端部よりも外側に吹き下ろすようにガイドする導風路とを設ける。これにより、導風路により、吸引された外気を収納庫の床面に当たらないように収納庫の開口部の下端部よりも外側に吹き下ろしてエアカーテンを形成することができるので、エアカーテンにより外気が収納庫の内部に入り込むのを抑制することができるとともに、外気が収納庫の冷えた床面に接触するのを抑制することができる。これにより、収納庫の冷えた床面に外気が接触するのを抑制することができるので、収納庫の床面に結露が発生するのを抑制することができる。また、外気を用いてエアカーテンを形成することによって、収納庫の内部の冷気を用いる場合と異なり、冷気を収納庫の外部に吐き出してしまうのを防止することができる。さらに、横断流送風機を収納庫の内部の上面に配置することによって、横断流送風機を収納庫の下部に取り付ける場合と比べて、横断流送風機を路面から十分に離れた位置に配置することができるので、路面からの塵などの異物が横断流送風機の内部に入り込むのを抑制することができる。これにより、異物を除去する構成が不要になるので、横断流送風機の構造を簡素化することができる。また、異物が横断流送風機の内部に入り込むことに起因して、横断流送風機の圧力損失が大きくなるのを抑制することもできる。
【０００９】
上記第１の局面による冷凍庫において、好ましくは、導風路は、収納庫の開口部から外側に向かう方向に傾斜する傾斜部を有する。このように構成すれば、傾斜部により、ファンからの外気を収納庫の開口部の下端部よりも外側に容易に吹き下ろすことができる。また、後方側に傾斜する導風板を別部材として設ける必要がないので、部品点数が増加するのを抑制することができる。
【００１０】
上記第１の局面による冷凍庫において、好ましくは、導風路は、回転軸線が延びる軸方向におけるファンの外端部近傍に対応する位置に配置され、軸方向の外側に向かう方向に傾斜してファンの外端部よりも外側に外気を導く風ガイド部を有する。このように構成すれば、風ガイド部により、ファンから直接的に外気が送風されないファンの外端部よりも外側にも外気を導くことができるので、ファンの外端部よりも外側にエアカーテンの破れ（吹き下ろされる外気の量が少ない部分）が形成されるのを抑制することができる。これにより、エアカーテンの破れから外気が収納庫の内部に侵入するのを抑制することができるので、侵入する外気に起因して収納庫の内部の温度が上昇するのを効果的に抑制することができる。
【００１１】
この場合、好ましくは、風ガイド部は、回転軸線に対して４５度以上９０度未満の角度で、軸方向の外側に向かう方向に傾斜するように配置されている。このように構成すれば、風ガイド部が回転軸線に対して４５度未満の角度で傾斜している場合と比べて、風ガイド部の軸方向の長さを小さくすることができるので、風ガイド部の回転軸線（ファン）に対する対向面積が過度に大きくなるのを抑制して、風ガイド部に当たる外気の量が過度に増加するのを抑制することができる。これにより、風ガイド部によりファンの外端部よりも外側に外気を導きつつ、風ガイド部に当たる外気の量が過度に増加することに起因して風ガイド部が形成された位置に対応する領域を流れる外気の量が過度に減少するのを抑制することができる。したがって、ファンの外端部よりも外側だけでなく、風ガイド部に対応する位置においても、エアカーテンの破れが形成されるのを確実に抑制することができるので、収納庫の開口部の広い範囲に、確実に、エアカーテンを形成することができる。
【００１２】
上記第１の局面による冷凍庫において、好ましくは、横断流送風機のファンは、複数のファン部材が回転軸線が延びる軸方向に沿って連結されることによって形成されている。このように構成すれば、横断流送風機が配置される長さに合わせてファン部材の数を変更させてファンの大きさを調整することができるので、異なる大きさの収納庫毎に専用の横断流送風機を設ける必要がない。これにより、横断流送風機を異なる種類の冷凍車に容易に適用することができる。
【００１３】
上記第１の局面による冷凍庫において、好ましくは、収納庫は、収納庫の開口部を開閉する開閉扉を含み、横断流送風機の導風路は、気流の向きが調整可能な風向調整部を有し、開閉扉が開放された状態で、ファンからの外気が風向調整部により収納庫の開口部の下端部よりも外側に吹き下ろされるとともに、開閉扉が閉められた状態で、冷却ユニットにより冷却された空気が風向調整部により収納庫の開口部の下端部近傍または下端部よりも内側に吹き下ろされるように構成されている。このように構成すれば、開閉扉が閉められた状態では、冷却ユニットから吹き出された冷気を横断流送風機を用いて収納庫内に万遍なく行き渡らせることができるので、収納庫内の温度むらを抑制して温度管理精度を向上させることができる。
【００１４】
上記導風路が風向調整部を有する構成において、好ましくは、横断流送風機は、外気吸引口に加えて、ファンにより冷却ユニットにより冷却された空気が吸引される庫内空気吸引口をさらに含み、外気吸引口が閉じられるとともに庫内空気吸引口が開かれることにより、開閉扉が閉められた状態で、冷却ユニットにより冷却された空気が風向調整部により収納庫の開口部の下端部近傍または下端部よりも内側に吹き下ろされて収納庫内を循環するように構成されている。このように構成すれば、開閉扉が閉められた状態であっても横断流送風機に設けられた庫内空気吸引口を介して冷却ユニットから吹き出された冷気を吸引することができるとともに、吸引された冷気を導風路を介して確実に収納庫内に吹き出すことができる。したがって、収納庫内の温度むらを確実に抑制することができる。
【００１５】
上記導風路が風向調整部を有する構成において、好ましくは、開閉扉の開閉状態を検知する開閉状態検知部をさらに備え、開閉扉が開放された状態から開閉状態検知部により開閉扉が閉められた状態が検知された際、冷却ユニットにより冷却された空気が収納庫内を循環するように、横断流送風機の風向調整部による気流の向きが調整されるように構成されている。このように構成すれば、開閉扉が閉められて以降、冷却ユニットにより収納庫内が冷却されるのに同期して横断流送風機から吹き出される気流が収納庫内を循環するようにすることができるので、収納庫内に温度むらが生じるのを抑制しつつ、収納庫内の冷却を迅速に行うことができる。
【００１６】
上記導風路が風向調整部を有する構成において、好ましくは、開閉扉が開放された状態で、収納庫外部の温度または湿度の少なくともいずれかに基づいて、横断流送風機から収納庫の開口部の下端部よりも外側に吹き下ろされる気流の向きが風向調整部により調整されるように構成されている。このように構成すれば、外気条件（収納庫外部の温度または湿度の少なくともいずれか）に応じて、収納庫の床面に結露が発生するのをより抑制するかまたはエアカーテンにより外気が収納庫の内部に侵入することを抑制するかをユーザが適切に選択することができる。
【発明の効果】
【００１７】
本発明によれば、上記のように、収納庫の床面に結露が生じるのを抑制することができる。
【図面の簡単な説明】
【００１８】
【図１】本発明の第１実施形態による冷凍車の概略的な全体構成を示した図である。
【図２】本発明の第１実施形態による冷凍車において、冷凍庫の開閉扉（左扉）が開放された状態を示した斜視図である。
【図３】本発明の第１実施形態による冷凍車の制御ブロック図である。
【図４】本発明の第１実施形態による冷凍車において、横断流送風機が作動された状態を示した図である。
【図５】本発明の第１実施形態による冷凍車の横断流送風機を後方側から示した平面図である。
【図６】本発明の第１実施形態による冷凍車の横断流送風機のカバー部材を取り外した状態を示した斜視図である。
【図７】本発明の第１実施形態による冷凍車の横断流送風機の回転軸とモータとを示した平面図である。
【図８】本発明の第１実施形態による冷凍車の横断流送風機の回転軸とモータとファンとを示した平面図である。
【図９】本発明の第１実施形態による冷凍車の横断流送風機のファン部材を示した斜視図である。
【図１０】本発明の第１実施形態による冷凍車の横断流送風機を軸方向と直交する方向から示した断面図である。
【図１１】本発明の第１実施形態による冷凍車の横断流送風機を軸方向から示した断面図である。
【図１２】本発明の第１実施形態による冷凍車の一対の横断流送風機を軸方向から示した断面図である。
【図１３】本発明の第２実施形態による冷蔵倉庫の横断流送風機を軸方向から示した断面図である。
【図１４】本発明の第２実施形態による冷蔵倉庫の構成（開閉扉：閉状態）を示した図である。
【図１５】本発明の第２実施形態による冷蔵倉庫の構成（開閉扉：開状態）を示した図である。
【図１６】本発明の第２実施形態による横断流送風機の風向調整方法について説明した図である。
【発明を実施するための形態】
【００１９】
以下、本発明の実施形態を図面に基づいて説明する。
【００２０】
［第１実施形態］
まず、図１〜図４を参照して、本発明の第１実施形態による冷凍車１００の構成について説明する。
【００２１】
第１実施形態による冷凍車１００は、図１に示すように、車両本体１０と、冷凍庫（冷凍冷蔵室）２０と、冷凍庫２０の内部を冷却する冷却ユニット３０と、冷凍庫２０の内部に設置された一対の横断流送風機４０とを備えている。なお、車両本体１０は、本発明の「車両」の一例であり、冷凍庫２０は、本発明の「収納庫」の一例である。
【００２２】
車両本体１０は、前後方向（Ｘ方向）に延びるシャーシ１１を備えており、シャーシ１１の前方側（Ｘ１側）に走行用のエンジン１２（破線で示す）が固定されるとともに、エンジン１２を覆うように運転室１３が設けられている。また、車両本体１０には、バッテリ１４がシャーシ１１の側方に載置されている。ここで、バッテリ１４の電力は、横断流送風機４０を運転する際に横断流送風機４０に供給される。また、エンジン１２には、エンジン１２の駆動力を利用して発電するオルタネータ１２ａが設けられている。オルタネータ１２ａからの電力は、走行中にバッテリ１４に供給されて充電が行われる。
【００２３】
また、図１に示すように、冷凍庫２０は、運転室１３よりも後方（Ｘ２側）のシャーシ１１上に設置されている。また、車両本体１０には、横断流送風機４０の動作制御を担う制御ボックス５０が設置されている。制御ボックス５０は、車両本体１０側のエンジン１２を制御する車体側制御部（ＥＣＵ）１２ｂとは別体で構成されている。
【００２４】
冷凍庫２０は、図１および図２に示すように、路面１に対して略垂直な側壁部２１と、路面１に対して略平行な床部２２および天井部２３と、後部側において外側に向けて開閉可能な開閉扉２４とによって構成されている。側壁部２１、床部２２、天井部２３および開閉扉２４には、断熱機能を有する部材が使用されており、各々の部材が金属製の枠体部（フレーム）２０ａ（図２参照）に組み付けられることにより、中空箱型の冷凍庫２０が形成される。また、冷凍庫２０は、車幅方向（Ｙ方向）の一対の側壁部２１、床部２２および天井部２３によって、後部側（Ｘ２側）に冷凍庫２０の内部と外部とを接続する開口部２０ｂが構成されている。そして、開口部２０ｂに開閉可能な開閉扉２４が設けられている。
【００２５】
また、図１に示すように、床部２２は平坦な床面２２ａを有しており、商品２は、床面２２ａ上に積載される。ここで、商品２は、段ボール紙などからなる外装材２ａにより梱包されている。なお、図１および図３においては、外装材２ａに梱包された商品２の全体的な外形を２点鎖線を用いて示しているが、実際には、個々のダンボール箱状となった商品２が床面２２ａから上方向に積み上げられている。また、図２においては、商品２の図示を便宜的に省略している。
【００２６】
また、図２に示すように、冷凍車１００を後方側（Ｘ２側）から見た場合、開閉扉２４は、左扉２４ａと右扉２４ｂとを有している。左扉２４ａは冷凍庫２０の車幅方向（Ｙ方向）の略中央から一方側（Ｙ１側）に開かれるとともに、右扉２４ｂは他方側（Ｙ２側）に開かれる。ここで、冷凍車１００が停車（駐車）された状態で荷役作業者（ドライバー）３が開閉扉２４を開く（図２では左扉２４ａが開かれている）ことによって、冷凍庫２０の開口部２０ｂを介して商品２の積込作業および荷下ろし作業が行われるように構成されている。
【００２７】
また、図２に示すように、左扉２４ａおよび右扉２４ｂの各々の下端部（Ｚ２側）に対応する位置の枠体部２０ａの表面に、それぞれ、開閉扉スイッチ８１が取り付けられている。開閉扉スイッチ８１は、荷役作業者３による開閉扉２４（左扉２４ａおよび右扉２４ｂ）の扉開放状態および扉閉め状態を検出する機能を有している。
【００２８】
また、図２に示すように、左扉２４ａおよび右扉２４ｂは、それぞれ、ロック機構部２５を有している。荷役作業者３は、荷役作業時にＹ１側の左扉２４ａを開放する際には、ロック機構部２５のロックを解除させた状態で、左扉２４ａを回動させることによって、左扉２４ａを外側に開放させる。また、左扉２４ａを閉じる際には、左扉２４ａを開放時とは反対に回動させて仮閉めした状態でロック機構部２５のロックを有効にする。同様に、荷役作業者３は、右扉２４ｂの開閉動作を行うことが可能に構成されている。
【００２９】
また、冷却ユニット３０は、図１に示すように、圧縮機３１と、凝縮器３２と、蒸発器３３と、これらの機能部品を接続する冷媒配管３４とを含んでいる。圧縮機３１は、エンジン１２の動力により駆動される。また、凝縮器３２および蒸発器３３は、筐体３５内部に収納されており、筐体３５は、運転室１３の上方でかつ前部（Ｘ１側）の側壁部２１の外面に取り付けられている。また、蒸発器３３に対向する側壁部２１の部分には、貫通孔からなる吹出孔２１ａおよび吸込孔２１ｂが形成されている。そして、冷凍庫２０内の空気が送風機３３ａによって吸込孔２１ｂから蒸発器３３側に吸い込まれるとともに、蒸発器３３で冷却された空気（冷気）が吹出孔２１ａから冷凍庫２０内に吹き出される。また、車外の空気が送風機３２ａによって前方側（Ｘ１側）から吸い込まれるとともに、凝縮器３２を冷却した空気が上方（Ｚ１方向）に吹き出される。
【００３０】
ここで、圧縮機３１から吐出された冷媒ガスは、冷媒配管３４を流通して凝縮器３２で凝縮（液化）され、液化された冷媒が図示しない減圧装置（膨張弁）により減圧されるとともに低温にされて蒸発器３３に流通される。そして、蒸発器３３では、低温冷媒の蒸発に伴って冷凍庫２０内の空気が冷やされることにより、冷凍庫２０内が所望の温度に冷却される。なお、庫内の温度は、蒸発器３３の冷気が吹き出される位置（吹出孔２１ａ）の近傍に配置された温度センサ８２（図３参照）により検出される。
【００３１】
次に、図１〜図１２を参照して、本発明の第１実施形態による横断流送風機４０の構成について説明する。
【００３２】
一対の横断流送風機４０（４０ａおよび４０ｂ）は、図２および図４に示すように、冷凍庫２０の庫外の空気（外気）を用いて、開口部２０ｂを覆うようにエアカーテンを形成するために設けられている。また、一対の横断流送風機４０は、冷凍庫２０の内部において、開閉扉２４近傍の天井部２３の内面（冷凍庫２０の内側の面）２３ａに取り付けられている。なお、内面２３ａは、本発明の「上面」の一例である。
【００３３】
Ｙ１側の横断流送風機４０ａは、開口部２０ｂの車幅方向（Ｙ方向）に延びる上端部２０ｃに沿って、冷凍庫２０内の一方側（Ｙ１側）の側壁部２１からＹ方向の略中央まで、Ｙ方向に延びるように設置されている。また、Ｙ１側の横断流送風機４０ａは、左扉２４ａに対応する開口部２０ｂのＹ１側の領域にエアカーテンを形成するように構成されている。
【００３４】
Ｙ２側の横断流送風機４０ｂは、上端部２０ｃに沿って、Ｙ方向の略中央から冷凍庫２０内の他方側（Ｙ２側）の側壁部２１まで、Ｙ方向に延びるように設置されている。また、Ｙ２側の横断流送風機４０ｂは、右扉２４ｂに対応する開口部２０ｂのＹ２側の領域にエアカーテンを形成するように構成されている。
【００３５】
また、図１２に示すように、横断流送風機４０ａと横断流送風機４０ｂとは、若干の隙間を隔ててＹ方向に隣接するように配置されている。
【００３６】
また、図５および図６に示すように、一対の横断流送風機４０は、各々、外形形状が箱型の筐体４１と、筐体４１の内部に設置されたファン４２、回転軸４３（図７参照）およびモータ４４とを含んでいる。図７に示すように、回転軸４３は、回転軸線Ａの延びるＹ方向（軸方向）に延びるように形成されている。モータ４４には、回転軸４３のＹ１側の一方端部が取り付けられており、モータ４４は、回転軸４３をＹ方向に延びる回転軸線Ａ周りの回転方向Ｂに回転させるように駆動するように構成されている。また、図８に示すように、ファン４２は、回転軸４３に固定されており、回転軸４３が回転方向Ｂに回転することに伴い、回転方向Ｂに回転されるように構成されている。
【００３７】
ファン４２は、図６および図８に示すように、Ｙ方向に延びる円筒状のファン部材４５が回転軸４３の延びる軸方向（Ｙ方向）に連結されることによって形成されている。具体的には、Ｙ１側において、４つのファン部材４５がＹ方向に隣接した状態で連結されているとともに、Ｙ２側において、４つのファン部材４５がＹ方向に隣接した状態で連結されている。この結果、ファン４２を構成するファン部材４５の数を変更することによって、ファン４２の軸方向の大きさを変更することが可能である。この結果、異なる種類の冷凍車１００（冷凍庫２０）毎にファン４２を作製するための金型を準備する必要がないので、金型を作成する工程を削減するだけでなく金型を形成するのに要するコストを削減することが可能である。
【００３８】
また、図９に示すように、円筒状のファン部材４５は、Ｙ方向に延びる複数の羽部４５ａと、ファン部材４５のＹ方向の両端部に形成された一対の側面部４５ｂとを含んでいる。複数の羽部４５ａは、図１０に示すように、円筒の外周面に沿って並ぶように配置されているとともに、回転軸４３側（内側）から外周面側（外側）に向かって、回転方向Ｂに湾曲するように形成されている。これにより、筒状のファン部材４５から構成されるファン４２は、Ｙ方向の全体において、軸方向（Ｙ方向）と直交するファン部材４５の半径方向のうちの後方（Ｘ２方向）から外気を吸引する。そして、ファン４２は、中空状のファン部材４５の内部を通過した外気を、半径方向のうちの下方（Ｚ２方向）に直進的に吹き下ろすように構成されている。つまり、横断流送風機４０は、いわゆるクロスフローファンである。
【００３９】
一対の側面部４５ｂは、図９に示すように、それぞれ、円筒状のファン部材４５のＹ方向の両端部において、回転軸４３（図１０参照）を回転可能に支持するように構成されている。
【００４０】
また、図６に示すように、Ｙ１側の４つのファン部材４５とＹ２側の４つのファン部材４５との間には、回転軸４３を回転可能に保持する軸保持部４６ａが設けられているとともに、図１１に示すように、Ｙ２側の４つのファン部材４５のＹ２側には、回転軸４３を回転可能に保持する軸保持部４６ｂが設けられている。
【００４１】
横断流送風機４０の筐体４１は、図６に示すように、Ｙ方向に延びる箱状に形成されている。また、筐体４１は、箱の上部（Ｚ１側）および前部（Ｘ１側）を構成する第１部材４１ａと、箱の下部（Ｚ２側）を構成する第２部材４１ｂと、箱のＹ方向のＹ１側の側面を形成する側面部４１ｃと、箱のＹ２側の側面を形成する側面部４１ｄとを含んでいる。また、第１部材４１ａと第２部材４１ｂとにより、外気を筐体４１内に吸引する外気吸引口４１ｅが筐体４１の後部に形成されている。また、図１０に示すように、第２部材４１ｂは、ファン４２が収容されるとともに、外気吸引口４１ｅから吸引された外気をファン４２に導く収容部４１ｆと、ファン４２により吹き下ろされる外気を吐出口４１ｇに導く導風路４１ｈとを有している。
【００４２】
外気吸引口４１ｅは、筐体４１の後面（Ｘ２側の面）に形成されており、外気吸引口４１ｅを介して、ファン４２により冷凍庫２０の庫外の空気（外気）が吸引されるように構成されている。また、外気吸引口４１ｅの後方側（Ｘ２側）には、筐体４１の内部を保護するためのカバー部材４７が外気吸引口４１ｅを覆うように取り付けられている。なお、カバー部材４７には、外気吸引口４１ｅから外気を吸引するための貫通孔４７ａが複数設けられている。
【００４３】
ここで、第１実施形態では、図１０に示すように、導風路４１ｈには、下方（Ｚ２方向）に向かって開口部２０ｂから外側に向かう後方側（Ｘ２方向）に傾斜する傾斜部４１ｉが形成されている。これにより、ファン４２により下方に吹き下ろされた外気は、傾斜部４１ｉにより若干後方に向かうように向きが変えられた状態で、吐出口４１ｇから下方に吹き下ろされる。また、図４に示すように、傾斜部４１ｉ（図１０参照）は、ファン４２から吹き下ろされる外気が冷凍庫２０内に略侵入しないように、冷凍庫２０の開口部２０ｂの下端部２０ｄよりも外側（Ｘ２側）に向かって外気が吹き下ろされるように、外気をガイドする機能を有している。なお、傾斜部４１ｉの傾斜角度θ１（図１０参照）は、冷凍庫２０の開口部２０ｂの下端部２０ｄよりも外側（Ｘ２側）に向かって約１００ｍｍの距離Ｌだけ離れた位置に外気が吹き下ろされるような傾斜角度になるように設定されている。
【００４４】
また、図１１に示すように、筐体４１の傾斜部４１ｉの吐出口４１ｇの近傍には、外気の流れをガイドするための風ガイド部４８が４個配置されている。この４個の風ガイド部４８は、各々、傾斜部４１ｉに対して略平行に延び、傾斜部４１ｉに固定するための取り付け部４８ａと、取り付け部４８ａに対して略垂直（導風路４１ｈの内側）に延びる風ガイド部分４８ｂとを含んでいる。
【００４５】
また、風ガイド部４８は、ファン４２のＹ１側の外端部４２ａ近傍に対応する傾斜部４１ｉのＹ１側に一対配置されているとともに、ファン４２のＹ２側の外端部４２ｂ近傍に対応する傾斜部４１ｉのＹ２側に一対配置されている。
【００４６】
また、Ｙ１側の一対の風ガイド部４８は、それぞれ、Ｙ１側のモータ４４と最もＹ１側に位置するファン部材４５との間に対応するＹ方向の位置と、最もＹ１側に位置するファン部材４５に対応するＹ方向の位置とに所定の距離離間した状態で配置されている。また、Ｙ２側の一対の風ガイド部４８は、それぞれ、Ｙ２側から２番目のファン部材４５に対応するＹ方向の位置と、最もＹ２側に位置するファン部材４５に対応するＹ方向の位置とに所定の距離離間した状態で配置されている。
【００４７】
また、第１実施形態では、図１１に示すように、Ｙ１側の一対の風ガイド部４８では、風ガイド部分４８ｂは、下方（Ｚ２方向）に向かってモータ４４側である外側（Ｙ１側）に傾斜するように構成されている。この際、風ガイド部分４８ｂは、Ｙ方向に延びる直線（回転軸線Ａ）に対して、約６０度の傾斜角度θ２で傾斜するように形成されている。これにより、Ｙ１側の一対の風ガイド部４８は、ファン４２のＹ１側の外端部４２ａよりも外側（Ｙ１側）に外気を導くように構成されている。
【００４８】
また、Ｙ２側の一対の風ガイド部４８では、風ガイド部分４８ｂは、下方に向かって軸保持部４６ｂ側である外側（Ｙ２側）に傾斜するように構成されている。この際、風ガイド部分４８ｂは、Ｙ方向に延びる回転軸線Ａに対して、約６０度の傾斜角度θ３で傾斜するように形成されている。これにより、Ｙ２側の一対の風ガイド部４８は、ファン４２のＹ２側の外端部４２ｂよりも外側（Ｙ２側）に外気を導くように構成されている。
【００４９】
ここで、風ガイド部４８が横断流送風機４０に設けられていない場合には、ファン４２が設けられた部分に対応する領域Ｒ１（図１１および図１２参照）では外気が直接的に吹き下ろされてエアカーテンが形成される一方、ファン４２が設けられていない部分（たとえば、モータ４４の配置領域や横断流送風機４０同士の間の隙間など）に対応する領域Ｒ２（図１１および図１２参照）では、外気が直接的に吹き下ろされないため、領域Ｒ２がエアカーテンの破れ（吹き下ろされる外気の量が少ない部分）になってしまう。この結果、エアカーテンの破れから温度の高い外気が冷凍庫２０の内部に侵入してしまい、冷凍庫２０の内部の温度が上昇してしまう。
【００５０】
一方、第１実施形態のように風ガイド部４８を設けることによって、図１１および図１２に示すように、ファン４２が設けられていない部分に対応する領域Ｒ２にも、外気を直接的に吹き下ろすことができるので、エアカーテンの破れが生じるのを抑制することができる。その結果、エアカーテンの破れから温度の高い外気が冷凍庫２０の内部に侵入するのが抑制される。
【００５１】
また、図４に示すように、冷凍車１００では、冷凍庫２０の開閉扉２４（左扉２４ａおよび／または右扉２４ｂ）が開放された際に、開放された側の開閉扉２４に対応する横断流送風機４０（４０ａおよび４０ｂ）の運転が開始されるように構成されている。また、冷凍車１００では、冷凍庫２０の開閉扉２４（左扉２４ａおよび右扉２４ｂ）が閉鎖された際に、横断流送風機４０の運転が停止されるように構成されている。
【００５２】
また、冷凍車１００が走行中（エンジン１２がオン時）の場合には、図１に示すように、エンジン１２とともに圧縮機３１が駆動される。これにより、冷却ユニット３０が運転されて冷凍庫２０内が所望の温度に冷却される。なお、エンジン１２がオン状態の場合には、横断流送風機４０は作動されない。また、これとは反対に、図２および図４に示すように、横断流送風機４０は、冷凍車１００が停車（駐車）されてエンジン１２がオフ状態（冷却ユニット３０が停止状態）において開閉扉２４に連動して作動される。第１実施形態による冷凍車１００は、上記のように構成されている。
【００５３】
（第１実施形態の効果）
第１実施形態では、以下のような効果を得ることができる。
【００５４】
第１実施形態では、上記のように、エアカーテンを形成する横断流送風機４０に、ファン４２により外気が吸引される外気吸引口４１ｅと、ファン４２からの外気を冷凍庫２０の開口部２０ｂの下端部２０ｄよりも外側に向かう方向に吹き下ろすようにガイドする導風路４１ｈとを設ける。これにより、導風路４１ｈにより、吸引された外気を冷凍庫２０の床面２２ａに当たらないように冷凍庫２０の開口部２０ｂの下端部２０ｄよりも外側に吹き下ろしてエアカーテンを形成することができるので、エアカーテンにより外気が冷凍庫２０の内部に入り込むのを抑制することができるとともに、外気が冷凍庫２０の冷えた床面２２ａに接触するのを抑制することができる。これにより、冷凍庫２０の冷えた床面２２ａに外気が接触するのを抑制することができるので、冷凍庫２０の床面２２ａに結露が発生するのを抑制することができる。
【００５５】
また、第１実施形態では、外気を用いてエアカーテンを形成することによって、冷凍庫２０の内部の冷気を用いる場合と異なり、冷気を冷凍庫２０の外部に吐き出してしまうのを防止することができる。
【００５６】
また、第１実施形態では、横断流送風機４０を冷凍庫２０の天井部２３の内面２３ａに配置することによって、横断流送風機４０を冷凍庫２０の床部２２に取り付ける場合と比べて、横断流送風機４０を路面１から十分に離れた位置に配置することができるので、路面１からの塵などの異物が横断流送風機４０の内部に入り込むのを抑制することができる。これにより、異物を除去する構成が不要になるので、横断流送風機４０の構造を簡素化することができる。また、異物が横断流送風機４０の内部に入り込むことに起因して、横断流送風機４０の圧力損失が大きくなるのを抑制することもできる。
【００５７】
また、第１実施形態では、導風路４１ｈを、冷凍庫２０の開口部２０ｂから外側に向かう後方側（Ｘ２方向）に傾斜する傾斜部４１ｉを有するように構成することによって、傾斜部４１ｉにより、ファン４２からの外気を冷凍庫２０の開口部２０ｂの下端部２０ｄよりも外側に容易に吹き下ろすことができる。また、後方側に傾斜する導風板を別部材として設ける必要がないので、部品点数が増加するのを抑制することができる。
【００５８】
また、第１実施形態では、導風路４１ｈの回転軸線Ａが延びる軸方向（Ｙ方向）におけるファン４２のＹ１側の外端部４２ａ近傍に対応する位置に、軸方向の外側（Ｙ１側）に向かう方向に傾斜してファン４２の外端部４２ａよりも外側に外気を導く一対の風ガイド部４８（風ガイド部分４８ｂ）を設ける。また、導風路４１ｈの軸方向におけるファン４２のＹ２側の外端部４２ｂ近傍に対応する位置に、軸方向の外側（Ｙ２側）に向かう方向に傾斜してファン４２の外端部４２ｂよりも外側に外気を導く一対の風ガイド部４８（風ガイド部分４８ｂ）を設ける。これにより、風ガイド部４８により、ファン４２から直接的に外気が送風されないファン４２の外端部４２ａおよび４２ｂよりも外側にも外気を導くことができるので、ファン４２の外端部４２ａおよび４２ｂよりも外側にエアカーテンの破れ（吹き下ろされる外気の量が少ない部分）が形成されるのを抑制することができる。これにより、エアカーテンの破れから外気が冷凍庫２０の内部に侵入するのを抑制することができるので、侵入する外気に起因して冷凍庫２０の内部の温度が上昇するのを効果的に抑制することができる。
【００５９】
また、第１実施形態では、Ｙ１側の風ガイド部４８の風ガイド部分４８ｂを、回転軸線Ａに対して約６０度の傾斜角度θ２で、軸方向（Ｙ方向）の外側（Ｙ１側）に向かう方向に傾斜するように配置する。また、Ｙ２側の風ガイド部４８の風ガイド部分４８ｂを、回転軸線Ａに対して約６０度の傾斜角度θ３で、軸方向の外側（Ｙ２側）に向かう方向に傾斜するように配置する。これにより、風ガイド部４８の風ガイド部分４８ｂが回転軸線Ａに対して４５度未満の角度で傾斜している場合と比べて、風ガイド部４８の風ガイド部分４８ｂの軸方向の長さを小さくすることができるので、風ガイド部分４８ｂの回転軸線Ａ（ファン４２）に対する対向面積が過度に大きくなるのを抑制して、風ガイド部４８の風ガイド部分４８ｂに当たる外気の量が過度に増加するのを抑制することができる。この結果、風ガイド部４８の風ガイド部分４８ｂによりファン４２の外端部４２ａおよび４２ｂよりも外側に外気を導きつつ、風ガイド部分４８ｂに当たる外気の量が過度に増加することに起因して風ガイド部４８が形成された位置に対応する領域を流れる外気の量が過度に減少するのを抑制することができる。したがって、ファン４２の外端部４２ａおよび４２ｂよりも外側だけでなく、風ガイド部４８に対応する位置においても、エアカーテンの破れが形成されるのを確実に抑制することができるので、冷凍庫２０の開口部２０ｂの広い範囲に、確実に、エアカーテンを形成することができる。
【００６０】
また、第１実施形態では、横断流送風機４０のファン４２を、８つのファン部材４５を回転軸線Ａが延びる軸方向（Ｙ方向）に沿って連結することによって形成する。これにより、横断流送風機４０が配置される長さに合わせてファン部材４５の数を変更させてファン４２の大きさを調整することができるので、異なる大きさの冷凍庫２０毎に専用の横断流送風機４０を設ける必要がない。これにより、横断流送風機４０を異なる種類の冷凍車１００に容易に適用することができる。
【００６１】
また、第１実施形態では、エアカーテンを形成する送風機として、軸方向（Ｙ方向）と直交する半径方向から外気を吸引および吹出しを行う横断流送風機４０を用いることによって、軸流ファンやターボファンなどの軸方向から外気を吸引および吹出しを行う送風機を用いる場合と比べて、ハニカム構造などの複雑なダクト構造を設けることなく、直進的に外気を吹き下ろすことができる。これにより、横断流送風機４０を小型化および簡素化することができる。また、横断流送風機４０では複雑なダクト構造が不要になるので、複雑なダクト構造に起因して圧力損失が生じるのを抑制することができる。これにより、圧力損失を小さくすることができるので、モータ４４の出力を小さくすることができる。この結果、冷凍庫２０の内部に配置される横断流送風機４０が稼動することによって発生する熱を小さくすることができるので、冷凍庫２０の内部を冷却するのに要する消費電力を小さくすることができる。さらに、圧力損失を小さくすることができるので、圧力損失を補う分のモータ４４が不要になり、その結果、モータ４４の個数も減少させることができる。
【００６２】
［第２実施形態］
図１３〜図１６を参照して、第２実施形態について説明する。この第２実施形態では、冷蔵倉庫２００に本発明を適用した場合について説明する。なお、冷蔵倉庫２００は、本発明の「冷凍庫」の一例である。
【００６３】
第２実施形態による冷蔵倉庫２００は、図１４に示すように、冷凍室（冷凍冷蔵室）２２０と、冷凍室２２０内を冷却する冷却ユニット２３０と、横断流送風機２４０とを備えている。また、開閉扉２２４が冷凍室２２０の開口部２２０ｂに開閉可能に設けられている。また、扉閉め時に開閉扉２２４の内面が接触する枠体部２２０ａの外側面には、開閉扉２２４の扉開放状態および扉閉め状態を検出する開閉扉スイッチ８１が設けられている。なお、冷凍室２２０は、本発明の「収納庫」の一例であり、開閉扉スイッチ８１は、本発明の「開閉状態検知部」の一例である。
【００６４】
冷却ユニット２３０は、開閉扉２２４とは反対側（Ｘ１側）の天井部２２３の内面２２３ａに吊り下げられている。また、横断流送風機２４０は、開閉扉２２４の近傍（Ｘ２側）に設置されている。この場合、横断流送風機２４０は、天井部２２３の内面２２３ａに対して空気（庫内冷気）が流通可能な程度の間隔を隔てて吊り下げられている。また、図１３に示すように、開閉扉２２４が閉められた状態では、開閉扉２２４の内面が横断流送風機２４０の外気吸引口４１ｅに若干の隙間を有して対向（正対）することにより、外気吸引口４１ｅが開閉扉２２４の内面によってほぼ閉じられるように構成されている。
【００６５】
また、図１３に示すように、横断流送風機２４０は、筐体４１の内部にファン４２からの空気を流通させる導風路２０１が設けられている。導風路２０１の内面は下方に向かって延びているが、この導風路２０１内には、吹き出される気流の向きを調整することが可能なルーバ機構２０２が設けられている。ルーバ機構２０２は、２枚の羽板２０２ａが回動可能に連接されており、内蔵された駆動源（図示せず）により羽板２０２ａが自動で揺動されるように構成されている。なお、ルーバ機構２０２は、本発明の「風向調整部」の一例である。
【００６６】
また、横断流送風機２４０には、冷却ユニット２３０により冷却された空気をファン４２により吸引するために、筐体４１の上面部（天面部）に庫内空気吸引口２０３と、庫内空気吸引口２０３を開閉するシャッター部材２０４とが設けられている。そして、第２実施形態では、シャッター部材２０４がモータなどの駆動源（図示せず）により矢印Ｘ１方向または矢印Ｘ２方向にスライド移動されることにより、横断流送風機２４０の運転状態に応じて庫内空気吸引口２０３を開閉するように構成されている。
【００６７】
これにより、図１５に示すように、開閉扉２２４が開放された状態では、シャッター部材２０４（図１３参照）が閉じられる一方、外気吸引口４１ｅは、開閉扉２２４の開放とともに開かれる（解放状態にされる）。また、この際、導風路２０１内の空気が下向き斜め後方（Ｘ２側）に吹き下ろされるようにルーバ機構２０２（図１３参照）が駆動される。したがって、開閉扉２２４が開放された状態では、外気が外気吸引口４１ｅを介してファン４２に吸い込まれ、ファン４２からの外気が、ルーバ機構２０２により冷凍室２２０の開口部２２０ｂの下端部２２０ｄよりも外側に吹き下ろされる。なお、この点（エアカーテン気流の状態）については、上記第１実施形態と同様である。
【００６８】
なお、冷蔵倉庫２００では、開閉扉２２４が開放された状態で形成されるエアカーテン気流の向きが詳細に調整されるように構成されている。具体的には、冷蔵倉庫２００の外部には湿度センサ８５が設けられている。そして、図１６に一例を示すように、湿度センサ８５により検知される庫外の湿度（相対湿度）に応じて、ルーバ機構２０２の首振り角度を変化（増減）させるように構成されている。
【００６９】
たとえば、外気の湿度が低い場合には、鉛直方向（Ｚ方向）からの首振り角度（図１３における羽板２０２ａの鉛直方向に対する矢印Ｘ２方向への傾斜角度）を小さくして、より傾きの大きい（より真下方向へ向けられた）エアカーテン気流を生じさせる制御が行われる。また、外気の湿度が高い場合には、鉛直方向（Ｚ方向）からの首振り角度（羽板２０２ａの鉛直方向に対する矢印Ｘ２方向への傾斜角度）を大きくして、より斜め後方へと吹き出される傾きの小さい（より斜め後方へと寝かされた）エアカーテン気流を生じさせる制御が行われる。したがって、庫外の湿度（相対湿度）が低い時には、エアカーテン気流を強化して冷凍室２２０内の温度が維持される「庫内温度重視」の運転モードが選択される。また、庫外の湿度が高い時には、湿り気の多い外気を用いたエアカーテン気流が冷凍室２２０内の床面２２２ａに接触するのが抑制される「結露抑制重視」の運転モードが選択される。
【００７０】
なお、外気条件に応じたルーバ機構２０２の首振り角度の関係（図１６のグラフの形状）については、予め実験的に取得されている。そして、その相関関係が数表または関数となって冷蔵倉庫２００の作動を統括する制御プログラム内に記憶（設定）されている。なお、図１６は湿度と首振り角度との関係を概念的に示したものであって、冷蔵倉庫２００（開口部２２０ｂ）のサイズによって同じ湿度でも首振り角度は異なる場合もありうる。また、「庫内温度重視」の運転モードと「結露抑制重視」の運転モードとの切り替わりがいずれの湿度に設定されているかについては、その設定値が固定的であってもよいし、ユーザ側で使用環境（季節の変化など）にあわせて適宜調整可能であってもよい。
【００７１】
また、第２実施形態では、図１３および図１４に示すように、開閉扉２２４が閉められた状態では、シャッター部材２０４が庫内空気吸引口２０３を開くように作動される一方、外気吸引口４１ｅは開閉扉２２４により閉じられる。また、この際、導風路２０１内の空気が開閉扉２２４に沿って真下方向（矢印Ｚ２方向）か、または、やや斜め前方（Ｘ１側）に吹き下ろされるようにルーバ機構２０２が駆動される。したがって、開閉扉２２４が閉められた状態では、図１４に示すように、冷却ユニット２３０により冷却された空気がルーバ機構２０２により冷凍室２２０の開閉扉２２４の下端部２２０ｄ近傍または下端部２２０ｄよりも冷凍室２２０内側に吹き下ろされる。これにより、開閉扉２２４が閉められた状態では、冷却ユニット２３０により冷却された冷気が冷凍室２２０内を循環するように構成されている。
【００７２】
なお、開閉扉２２４が開放された状態から開閉扉スイッチ８１により開閉扉２２４が閉められた状態が検知された際に、冷却ユニット２３０により冷却された空気が冷凍室２２０内を循環するように、横断流送風機２４０のルーバ機構２０２（羽板２０２ａ：図１３参照）による気流の向きが調整されるように構成されている。なお、ルーバ機構２０２については、斜め前方方向に一定の傾斜角度で固定されるようであってもよいし、真下方向と斜め前方方向との間で周期的に揺動（スイング）するように作動されてもよい。これにより、ユーザによる開閉扉２２４の扉閉めとともに冷却ユニット２３０の運転が再開された際も、冷気の循環が図られて、冷凍室２２０内に温度むらが生じるのが抑制され、かつ、冷凍室２２０内の迅速な冷却が図られる。第２実施形態による冷蔵倉庫２００は、上記のように構成されている。
【００７３】
（第２実施形態の効果）
第２実施形態では、上記のように、横断流送風機２４０の導風路２０１に気流の向きが調整可能なルーバ機構２０２を設ける。そして、開閉扉２２４が閉められた状態で、冷却ユニット２３０により冷却された空気をルーバ機構２０２により冷凍室２２０の開口部２２０ｂの下端部２２０ｄ近傍または下端部２２０ｄよりも内側に吹き下ろすように構成する。これにより、開閉扉２２４が閉められた状態では、冷却ユニット２３０から吹き出された冷気を、横断流送風機２４０を用いて冷凍室２２０内に万遍なく行き渡らせることができるので、冷凍室２２０内の温度むらを抑制して温度管理精度を向上させることができる。
【００７４】
また、第２実施形態では、横断流送風機２４０に、外気吸引口４１ｅに加えて、ファン４２により冷却ユニット２３０により冷却された空気が吸引される庫内空気吸引口２０３を設ける。そして、外気吸引口４１ｅが閉じられるとともに庫内空気吸引口２０３が開かれることにより、開閉扉２２４が閉められた状態で、冷却ユニット２３０により冷却された空気がルーバ機構２０２により冷凍室２２０の開口部２２０ｂの下端部２２０ｄ近傍または下端部２２０ｄよりも内側に吹き下ろされて冷凍室２２０内を循環するように構成する。これにより、開閉扉２２４が閉められた状態であっても横断流送風機２４０に設けられた庫内空気吸引口２０３を介して冷却ユニット２３０から吹き出された冷気を吸引することができるとともに、吸引された冷気を、導風路２０１を介して確実に冷凍室２２０内に吹き出すことができる。したがって、冷凍室２２０内の温度むらを確実に抑制することができる。
【００７５】
また、第２実施形態では、開閉扉２２４が開放された状態から開閉扉スイッチ８１により開閉扉２２４が閉められた状態が検知された際、冷却ユニット２３０により冷却された空気が冷凍室２２０内を循環するように、ルーバ機構２０２による気流の向きを調整するように横断流送風機２４０を構成する。これにより、開閉扉２２４が閉められて以降、冷却ユニット２３０により冷凍室２２０内が冷却されるのに同期して横断流送風機２４０から吹き出される気流が冷凍室２２０内を循環するようにすることができるので、冷凍室２２０内に温度むらが生じるのを抑制しつつ、冷凍室２２０内の冷却を迅速に行うことができる。
【００７６】
また、第２実施形態では、開閉扉２２４が開放された状態で、冷凍室２２０外部の湿度に基づいて横断流送風機２４０から冷凍室２２０の開口部２２０ｂの下端部２２０ｄよりも外側に吹き下ろされる気流の向きをルーバ機構２０２により調整するように構成する。これにより、外気条件（冷凍室２２０外部の湿度）に応じて、冷凍室２２０の床面２２２ａに結露が発生するのをより抑制するか、または、エアカーテンにより外気が冷凍室２２０の内部に侵入することを抑制するかをユーザが適切に選択することができる。
【００７７】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００７８】
たとえば、上記第１実施形態では、傾斜部４１ｉを下方（Ｚ２方向）に向かって開口部２０ｂから外側に向かう後方側（Ｘ２方向）に傾斜させることによって、冷凍庫２０の開口部２０ｂの下端部２０ｄよりも外側（Ｘ２側）に向かって距離Ｌだけ離れた位置に外気が吹き下ろされるように構成した例を示したが、本発明はこれに限られない。本発明では、たとえば、傾斜部を設ける代わりに、導風路の一部として後方側に傾斜する導風板を吐出口に設けることによって、冷凍庫の開口部の下端部よりも外側に向かって外気が吹き下ろされるように構成してもよい。
【００７９】
また、上記第１実施形態では、冷凍庫２０の開口部２０ｂの下端部２０ｄよりも外側（Ｘ２側）に向かって距離Ｌだけ離れた位置に外気が吹き下ろされるように構成した例を示したが、本発明はこれに限られない。本発明では、冷凍庫の開口部の下端部よりも外側に外気が吹き下ろされればよく、たとえば、開口部の下端部近傍の外側に外気が吹き下ろされるように構成してもよい。
【００８０】
また、上記第１実施形態では、８つのファン部材４５からファン４２を構成した例を示したが、本発明はこれに限られない。本発明では、ファンは、８つ以外のファン部材から構成されてもよい。つまり、横断流送風機が配置される長さに合わせてファン部材の数を変更させればよい。
【００８１】
また、上記第１実施形態では、エアカーテンを形成するために一対の横断流送風機４０を用いた例を示したが、本発明はこれに限られない。本発明では、１つの横断流送風機または３つ以上の横断流送風機をエアカーテンを形成するために用いてもよい。なお、横断流送風機は、扉毎に個別に稼動可能なように、扉の数に合わせて設けるのが好ましい。
【００８２】
また、上記第１実施形態では、Ｙ１側の風ガイド部４８を、回転軸線Ａに対して約６０度の傾斜角度θ２で、軸方向の外側（Ｙ１側）に向かう方向に傾斜するように配置するとともに、Ｙ２側の風ガイド部４８を、回転軸線Ａに対して約６０度の傾斜角度θ３で、軸方向の外側（Ｙ２側）に向かう方向に傾斜するように配置する例を示したが、本発明はこれに限られない。本発明では、風ガイド部の傾斜角度は、約６０度でなくてもよい。この際、風ガイド部の傾斜角度は、４５度以上９０度未満の傾斜角度であるのが好ましい。
【００８３】
また、上記第１実施形態では、Ｙ１側に一対の風ガイド部４８を設けるとともに、Ｙ２側に一対の風ガイド部４８を設けた例を示したが、本発明はこれに限られない。本発明では、風ガイド部の数は特に限定されない。
【００８４】
また、上記第１実施形態では、エンジン１２がオン状態の場合には、横断流送風機４０は作動されない例を示したが、本発明はこれに限られない。本発明では、エンジンがオン状態であっても、開閉扉（左扉および／または右扉）が開放された際には、横断流送風機の運転が開始されるように構成してもよい。これにより、冷却ユニットを運転させつつ、横断流送風機により形成されるエアカーテンによって冷凍庫内への外気の侵入を抑制することができるので、冷凍庫内の商品の破損（水濡れ）を確実に抑制することが可能である。
【００８５】
また、上記第２実施形態では、冷凍室２２０外部の湿度（相対湿度）に基づいて横断流送風機２４０から外側に吹き下ろされる気流の向きを調整したが、本発明はこれに限られない。たとえば、冷凍室２２０の外部の温度および湿度に基づいて横断流送風機２４０から外側に吹き下ろされる気流の向きを調整してもよい。この場合、外気温度と湿度とによって空気の乾き度（乾燥度）を取得するとともに、取得された空気の乾き度が相対的に小さい場合に首振り角度（羽板２０２ａの鉛直方向に対する傾斜角度）を小さくし、空気の乾き度が相対的に大きい場合に首振り角度を大きくするようにルーバ機構２０２を駆動するようにしてもよい。これによっても、外気条件に応じたエアカーテン気流の形成態様をユーザ側で適切に選択することができる。
【００８６】
また、上記第２実施形態では、庫外の湿度に応じてルーバ機構２０２の首振り角度が調整されるように構成したが、本発明はこれに限られない。すなわち、開閉扉２２４の開放時のルーバ機構２０２の首振り角度（羽板２０２ａの鉛直方向に対する矢印Ｘ２方向への傾斜角度）は、予め実測により取得された最適値に設定されていてもよい。
【符号の説明】
【００８７】
１０  車両本体
２０  冷凍庫（収納庫）
２０ｂ  開口部
２０ｃ  上端部
２０ｄ  下端部
２３ａ  内面（上面）
３０  冷却ユニット
４０、２４０  横断流送風機
４１ｅ  外気吸引口
４１ｈ、２０１  導風路
４１ｉ  傾斜部
４２  ファン
４２ａ、４２ｂ  外端部
４５  ファン部材
４８  風ガイド部
８１  開閉扉スイッチ（開閉状態検知部）
１００  冷凍車
２００  冷蔵倉庫（冷凍庫）
２０２  ルーバ機構（風向調整部）
２０３  庫内空気吸引口
２２０  冷凍室（収納庫）
２２４  開閉扉
Ａ  回転軸線
【図１】
2016027294.tif 000003
【図２】
2016027294.tif 000004
【図３】
2016027294.tif 000005
【図４】
2016027294.tif 000006
【図５】
2016027294.tif 000007
【図６】
2016027294.tif 000008
【図７】
2016027294.tif 000009
【図８】
2016027294.tif 000010
【図９】
2016027294.tif 000011
【図１０】
2016027294.tif 000012
【図１１】
2016027294.tif 000013
【図１２】
2016027294.tif 000014
【図１３】
2016027294.tif 000015
【図１４】
2016027294.tif 000016
【図１５】
2016027294.tif 000017
【図１６】
2016027294.tif 000018